(57)【要約】【課題】スプロケット穴を閉鎖してこの穴より泥等の侵入を防止するとともに、膜体の外面に付着した泥等を固化前に当該膜体から剥離することによって、膜体の早期の破れを防止し、スプロケット穴の閉鎖を長期間維持するようにしたゴムクローラを提供する。【解決手段】無端状のゴム弾性体の外周側にゴムラグを形成し、その内部に一定のピッチをもって芯金とこの芯金を外囲いするスチ−ルコ−ドが同時に埋設され、この芯金間にスプロケット穴が設けられたゴムクロ−ラであり、当該スプロケット穴に対し、ゴム製の蛇腹膜が形成されたゴムクロ−ラである。１‥ゴム弾性体、２‥ゴムラグ、３‥芯金、４‥スチ−ルコ−ド、５‥スプロケット穴、１０‥蛇腹膜。【選択図】図７
2008126749.tif 000002
【特許請求の範囲】
【請求項１】
無端状のゴム弾性体の外周側にゴムラグを形成し、その内部に一定のピッチをもって芯金とこの芯金を外囲いするスチ−ルコ−ドが同時に埋設され、この芯金間にスプロケット穴が設けられたゴムクロ−ラであり、当該スプロケット穴に対し、ゴム製の蛇腹膜が形成されたことを特徴とするゴムクロ−ラ。
【請求項２】
前記蛇腹膜が、スチ−ルコ−ドの埋設位置よりも外周側に形成された請求項１記載のゴムクロ−ラ。
【請求項３】
前記蛇腹膜が、ゴム弾性体の長手方向に伸長する向きに形成された請求項１又は２記載のゴムクロ−ラ。
【発明の詳細な説明】
【技術分野】
【０００１】
本発明はゴムクロ−ラに関するものであり、主としてコンバイン等の農機具の走行装置に使用されるものである。
【背景技術】
【０００２】
農機具の走行装置に用いられるゴムクローラは、無端状のゴム弾性体の外周側にゴムラグを形成し、その内部に一定のピッチをもって芯金が埋設され、この芯金間にスプロケット穴が設けられる構造となっており、これが農機具に設置されたスプロケット及びアイドラ−に巻き掛けされ、スプロケット穴とスプロケットが噛み合って駆動力が伝達される構造となっている。又、農機具に備えられた転輪がゴムクロ−ラの内周面上を転動する構造となっている。
【０００３】
従って、路面上や圃場内を走行するとき、スプロケット穴を通じて土、砂利、小石その他の異物が内周側に侵入し、この侵入物が転輪に踏み付けられて硬化するという現象がある。これが繰返されると、ゴムクロ−ラの転輪転動面のゴムが劣化・損傷し、いわゆるゴムに虫喰い現象をもたらしたり、転輪との間で脱輪現象を起こしたり、これに起因して種々の問題が発生することが言われている。
【０００４】
このため、従来より複数の提案がなされており、特許文献１ではスプロケット穴をゴム薄肉層で閉鎖する方法、特許文献２では前記ゴム薄肉層にスリットを形成する方法等が提案されている。
【０００５】
【特許文献１】特開昭５６−８６８７１号公報
【０００６】
【特許文献２】実公昭６１−１４９４４号公報
【０００７】
これらの従来例にあっては、スプロケット穴をゴム膜にて閉塞するため、土等の侵入はある程度防げることは事実であるが、ゴム膜部位に泥等が固まって硬化することは避けられず、これによってゴム膜が押されて破れてしまい、十分な結果を残すことができないのが実情である。
【０００８】
近年では、特許文献３が提案され、ゴム膜をやや厚めのものとし、ゴム膜自体を弾性的に振幅運動するようにして泥等の硬化を防ぎ、その脱落を促そうとする提案である。
【０００９】
【特許文献３】特開２００３−６３４６１号公報
【００１０】
かかる提案は厚めのゴム膜を振動させるために、ゴム膜にくびれ溝を形成するものであるが、実際の使用においては、この厚さの薄いくびれ溝に歪みが集中し、この部位が破れてしまうため、振幅運動を生じているうちは良いが、破れが発生した後は前記した従来のゴムクロ−ラの場合と同様な結果となるのが実情である。
【発明の開示】
【発明が解決しようとする課題】
【００１１】
本発明は、スプロケット穴を閉鎖してかかる穴より泥等の侵入を防止するとともに、膜体の外面に付着した泥等を固化前に当該膜体から剥離することによって、膜体の早期の破れを防止し、スプロケット穴の閉鎖を長期間維持するようにしたゴムクローラを提供するものである。
【課題を解決するための手段】
【００１２】
本発明の要旨は、無端状のゴム弾性体の外周側にゴムラグを形成し、その内部に一定のピッチをもって芯金とこの芯金を外囲いするスチ−ルコ−ドが同時に埋設され、この芯金間にスプロケット穴が設けられたゴムクロ−ラであり、当該スプロケット穴に対し、ゴム製の蛇腹膜が形成されたことを特徴とするゴムクロ−ラ（請求項１）であり、好ましくはこの蛇腹膜がスチ−ルコ−ドの埋設位置よりも外周側に形成（請求項２）され、更にその蛇腹の向きとしては、主としてゴム弾性体の長手方向に伸長する向きに形成（請求項３）されたものである。
【発明の効果】
【００１３】
本発明のゴムクロ−ラは、はスプロケットとの噛合穴に、ゴム製の蛇腹膜を備えたものであり、スプロケット穴を通じての泥等の侵入が長期間にわたって防止でき、泥の侵入に起因する種々の問題が解決できたものであり、ゴム製の蛇腹膜とすることにより泥等の付着も阻止されたものである。勿論、蛇腹膜とすることにより、ゴムクロ−ラの屈曲の際にも伸長に耐え、破損することなく通常の使用期間の範囲で膜を保持し得ることとなったものである。
【発明を実施するための最良の形態】
【００１４】
本発明は、ゴムクロ−ラの内外を貫通するスプロケット穴から、泥等が内周側へ入り込まないようにこの部位に蛇腹膜を備えるものであり、これによって泥等の侵入が防げることとなったものである。そして、好ましくはその膜の形成位置をスチ−ルコ−ドが埋設された位置よりも外周側に形成されるのが良く、ゴムクロ−ラがスプロケット等によって曲げられた際に、スチ−ルコ−ドが埋設された位置を引っ張りの中立面となり、これよりも外周側が伸長力を受けることになる。従って、蛇腹膜を外側に位置させておくことにより蛇腹膜が引っ張られて蛇腹が繰り返し開く動きをする。このため、この蛇腹膜に付着している泥等はこの面で固化せずに落下するという働きをなす。更に、その蛇腹膜の向きとしては、主としてゴム弾性体の長手方向に伸長する向きに形成することによってゴム弾性体の伸長方向にあわせて蛇腹膜を伸長させることとなり、これに付着する泥等を無理なく落下させることができることとなった。
【００１５】
尚、蛇腹膜が走行面に常時接触するということがないように、ゴムラグの頂面よりも少なくとも３０ｍｍ以上は遠ざけて形成することが好ましい。又、蛇腹膜の厚みも膜の強度の面から、更には蛇腹膜の伸びやすさの面から０．５〜３ｍｍ程度が必要である。０．５ｍｍ以下では製造の面で困難が伴い、又、３ｍｍ以上では伸長抵抗が増えることが予想されるところから上記の範囲が好ましいものとした。一方、蛇腹膜は、この膜とスプロケット穴に噛み合うスプロケットとが、これ又常時接触することがないような位置に備えることが好ましいことは言うまでもない。
【実施例】
【００１６】
以下、実施例をもって本発明を更に詳細に説明する。図１は通常のゴムクロ−ラの外周側平面図、図２はＡ−Ａ線断面図である。１はゴムクロ−ラの基体をなす無端状のゴム弾性体であって、図１の上下に連続する。２はその外周に形成されたゴムラグ、３は芯金、４はスチ−ルコ−ドである。芯金３はゴム弾性体１中に一定ピッチをもって埋設されており、これを外側より囲んでスチ−ルコ−ド４が同様に埋設されている。
【００１７】
そして、芯金３、３の間には図示しないスプロケットと噛み合うスプロケット穴５がゴム弾性体１の長手方向に点在している。このスプロケット穴５はゴム弾性体１の内外に貫通して形成されていることから、特に外周側より泥等が内周側に侵入することとなり、特に図示しない転輪の転動面に水虫現象が生じ、転輪との間での脱輪の現象も起きる等の不具合をもたらす傾向にある。
【００１８】
図３は前記した特許文献３に記載されたゴムクロ−ラの具体例を示す図２と同様の断面図である。スプロケット穴５にはこれを塞ぐように平坦なゴム膜７が形成され、この左右両側にくびれ溝８、８を形成した例である。ゴム膜７が比較的厚くなっていることから、このゴム膜７の振動現象があるとしても、くびれ溝８が泥等の圧力によって破れることは避けられないことであり、脱輪要因、ゴム弾性体１の内周面の虫喰い現象等による耐久性の低下要因ともなり、根本的な解決には程遠いものであるということができる。
【００１９】
さて、図４は本発明のゴムクロ−ラの外周側平面図、図５はその部分拡大図である。そして、図６はＢ−Ｂ線断面図であり、図７はＣ−Ｃ線断面図である。１０はスプロケット穴５を塞ぐように蛇腹状のゴム膜であり、この例ではゴム膜１０は蛇腹方向はゴム弾性体１の長手方向と合致させたものである。
【００２０】
かかる蛇腹膜１０はゴム弾性体１の外周面にほぼ合わせた位置に形成されており、これはスチ−ルコ−ド４の埋設位置よりも外側に形成されたものである。このため、ゴムクロ−ラがスプロケットに巻き掛けされた際にゴムの伸縮の中立面となるこのスチ−ルコ−ド４よりも外側にあるために蛇腹膜１０は伸長が繰り返され、ここに蛇腹膜１０についた泥等は効果的に振り落とされることになる。勿論、この位置は通常ではスプロケットと接触しない位置であり、これとの接触による蛇腹膜の損傷等は基本的に起こらない。
【００２１】
本発明にあって、スプロッケト穴５を塞ぐ蛇腹膜１０には図３で示すようなくびれ溝が存在しない。このため、泥等による圧力が集中的にかかる部位がないため、蛇腹膜１０の破れはほとんど発生せず、その効果が長く続くことは明らかである。
【産業上の利用可能性】
【００２２】
本発明は以上の通りであり、スプロケット穴を通して内周面への泥等の異物の侵入が防止できることとなり、これにより脱輪、虫喰い現象の発生を阻止することが可能となったもので、農機具用のみならず各種のゴムクロ−ラに適用可能であり、その利用範囲は極めて広いものである。
【図面の簡単な説明】
【００２３】
【図１】図１は通常のゴムクロ−ラの外周側平面図である。
【図２】図２は図１のＡ−Ａ線断面図である。
【図３】図３は特許文献３に記載されたゴムクロ−ラの例を示す図２と同様の断面図である。
【図４】図４は本発明のゴムクロ−ラの外周側平面図である。
【図５】図５は図４の部分拡大図である。
【図６】図６は図４のＢ−Ｂ線断面図である。
【図７】図７は図４のＣ−Ｃ線断面図である。
【符号の説明】
【００２４】
１‥ゴム弾性体、
２‥ゴムラグ、
３‥芯金、
４‥スチ−ルコ−ド、
５‥スプロケット穴、
１０‥蛇腹膜。
【図１】
2008126749.tif 000003
【図２】
2008126749.tif 000004
【図３】
2008126749.tif 000005
【図４】
2008126749.tif 000006
【図５】
2008126749.tif 000007
【図６】
2008126749.tif 000008
【図７】
2008126749.tif 000009